(57)【要約】【課題】血液の循環をさらに促進させることを可能にした電磁気健康促進器を提供することを目的としている。【解決手段】電磁気健康促進器１は、複数の電磁石２５，２６，２７と、複数の電磁石２５，２６，２７に加える電流または電圧を供給し得る磁力制御手段と、磁気発生部分５を覆う平面状保護板３ｃを有し、当該平面状保護板３ｃの内側であって複数の電磁石２５，２６，２７の磁力が人体に効果的に照射される磁気発生部分５の位置に複数の電磁石２５，２６，２７を配置してなるボックス３とにおいて、面状保護板３ｃのボックス３の内面側と各電磁石２５，２６，２７との間に配置された面状発熱体２９と、面状発熱体２９と各電磁石２５，２６，２７との間に配置され面状発熱体２９を覆う断熱材３１とを備えたものである。【選択図】        図８
2004329584.tif 000002
【特許請求の範囲】
【請求項１】
複数の電磁石と、前記複数の電磁石のうちの少なくとも一つの電磁石のコイルに加える電流または電圧を可変し、かつ、前記複数の電磁石のうちの他の少なくとも一つの電磁石のコイルに一定の強度の電流または電圧を供給し得る磁力制御手段と、磁気発生部分を覆う平面状保護板を有し、当該平面状保護板の内側であって前記複数の電磁石の磁力が人体に効果的に照射される磁気発生部分の位置に前記複数の電磁石を配置してなるボックスとを備えた電磁気健康促進器において、
前記面状保護板のボックス内面側と前記各電磁石との間に配置された面状発熱体と、
前記面状発熱体と前記各電磁石との間に配置され前記面状発熱体を覆う断熱材と
を備えたことを特徴とする電磁気健康促進器。
【請求項２】
前記面状発熱体は、高品質フィルムに特殊熱半導体インクを一定の大きさにプリントした面状の発熱シートをからなり、当該発熱シートを前記面状保護板の全面に設けられたものであることを特徴とする請求項１記載の電磁気健康促進器。
【請求項３】
前記面状発熱体には、前記電磁石に与える周波数３〜１００［ヘルツ］の電力を供給するものであることを特徴とする請求項１記載の電磁気健康促進器。
【発明の詳細な説明】
【０００１】
【発明の属する技術分野】
本発明は電磁気健康促進器の改良に関する。さらに詳細には、本発明は電磁石を人体の所定の部位近傍に位置させることができるようにし、かつ、前記電磁石のコイルに所定の交流を加えて前記電磁石の磁力を揺動させるとともに、必要に応じて人体所定の部位を温めることができるようにし、これにより血液の循環を促進させかつ痛み等を緩和させる効果を有するとともに人体に電磁気健康促進器に関するものである。
【０００２】
【従来の技術】
従来、この種の電磁気健康促進器としては、複数の電磁石と、前記複数の電磁石のうちの少なくとも一つの電磁石のコイルに加える電流または電圧を可変するとともに、前記複数の電磁石のうちの他の少なくとも一つの電磁石のコイルに一定の強度の電流または電圧を供給し得る磁力制御手段と、磁気発生部分を覆う平面状保護板を有し、当該平面状保護板の内側であって前記複数の電磁石の磁力が人体に効果的に照射される位置に前記複数の電磁石を配置してなるボックスとを備えたことものが提案されている（例えば、特許文献１参照）。
【０００３】
この従来の電気磁気治療器によれば、前記磁力制御手段により前記電磁石のコイルに加える電流または電圧の周波数を可変させてパルス状の磁力を発生できるようにし、かつ、電磁石を人体に接触する部位近傍であって前記電磁石の磁力が人体に効果的に当たる位置に配置してなるので、人体の血流に作用し、血流に対する刺激を与えることになって血液循環を促進し、かつ、神経系統に作用して痛みを和らげる効果を奏することになる。
また、従来の電磁気健康促進器によれば、電磁石の磁力を３５０［ガウス］未満にしたので、医療用具の許可申請を不要にするとともに、製造コストを抑えることができるという利点がある。
【０００４】
【特許文献１】特開２００３−７９７５０号公報
【０００５】
【発明が解決しようとする課題】
上述した電磁気健康促進器によれば、パルス状の磁力を効果的に人体を照射することにより、人体の血流に作用し、血流に対する刺激を与えることになって血液循環を促進し、かつ、神経系統に作用させることができるものの、さらに効果的に血流をよくできる工夫がされていなかった。
本発明は、上述した点に鑑み、血液の循環をさらに促進させることを可能にした電磁気健康促進器を提供することを目的としている。
【０００６】
【課題を解決するための手段】
上記目的を達成するため、請求項１記載の発明に係る電磁気健康促進器は、複数の電磁石と、前記複数の電磁石のうちの少なくとも一つの電磁石のコイルに加える電流または電圧を可変し、かつ、前記複数の電磁石のうちの他の少なくとも一つの電磁石のコイルに一定の強度の電流または電圧を供給し得る磁力制御手段と、磁気発生部分を覆う平面状保護板を有し、当該平面状保護板の内側であって前記複数の電磁石の磁力が人体に効果的に照射される磁気発生部分の位置に前記複数の電磁石を配置してなるボックスとを備えた電磁気健康促進器において、前記面状保護板のボックス内面側と前記各電磁石との間に配置された面状発熱体と、前記面状発熱体と前記各電磁石との間に配置され前記面状発熱体を覆う断熱材とを備えたことを特徴とするものである。
【０００７】
請求項２記載の発明では、請求項１記載の電磁気健康促進器において、前記面状発熱体は、高品質フィルムに特殊熱半導体インクを一定の大きさにプリントした面状の発熱シートをからなり、当該発熱シートを前記面状保護板の裏面の全面に設けられたものであることを特徴とするものである。
【０００８】
請求項３記載の発明では、請求項１記載の電磁気健康促進器において、前記面状発熱体には、時間的に連続的な電力を与え、または、前記電磁石に与える周波数３〜１００［ヘルツ］の断続的な電力を供給するものであることを特徴とするものである。
【０００９】
【発明の実施の形態】
以下、本発明の好適な実施の形態について図面を参照して説明する。
図１ないし図１１は本発明の実施の形態に係る電磁気健康促進器を説明するための図である。
【００１０】
まず、図１ないし図８を使用して機構部分を説明する。図１は、本発明の実施の形態に係る電磁気健康促進器を示す斜視図である。図２は、本発明の実施の形態に係る電磁気健康促進器を示す平面図である。図３は、本発明の実施の形態に係る電磁気健康促進器を示す側面図である。図４は、本発明の実施の形態に係る電磁気健康促進器を正面から見た断面図である。図５は、本発明の実施の形態に係る電磁気健康促進器に用いる発熱体を上から見た図である。図６は、本発明の実施の形態に係る電磁気健康促進器に使用する発熱体を横から見た図である。図７は、本発明の実施の形態に係る電磁気健康促進器を側面から見た断面図である。図８は、本発明の実施の形態に係る電磁気健康促進器において発熱体の配置状態を横から見た拡大断面図である。
【００１１】
これらの図において、本実施の形態に係る電磁気健康促進器１は、可搬可能な大きさに形成されたボックス３と、当該ボックス３の内部に配置された後述する各種部品とからなる。
【００１２】
前記ボックス３は、金属等の磁性材料で所定の面積の平面形状に形成した底板３ａと、金属等の磁性材料で中空偏平角柱形状に形成しかつ一方の面を前記外板とほぼ同じに開口して底板係合面とするとともに他方の面を所定の大きさに開口して保護板係合面とする偏平中空角柱形状の箱体３ｂと、前記箱体３ｂの保護板係合面に係合固定される例えばアクリル板やプラチスチック板などの非磁性材料で構成される平面状保護板３ｃとを備え、前記箱体３ｂの底板係合面に底板３ａをネジ等で固定し、かつ、前記箱体３ｂの保護板係合面に前記平面状保護板３ｃを固定することにより、全体で偏平角柱形状に形成されている。当該ボックス３は、図１、図３及び図７に示すように、前端面３ｆを傾斜面にし、また、後端面３ｒを丸みを持たせている。なお、平面状保護板３ｃは、磁気発生部分５を覆う保護材であり、この磁気発生部分５から磁力が照射されることになる。
【００１３】
当該ボックス３の前端面（一方の端部）３ｆ側には、図１、図２、図３及び図７に示すように、電源スイッチ７と、液晶ディスプレイ（ＬＣＤ）９と、開始スイッチ１１と、切替スイッチ１３と、ヒータオンオフスイッチ１５とがそれぞれ設けられている。
【００１４】
また、前記電源スイッチ７の内部には、図示しないが、当該電源スイッチ７をオンとしたことを表示させるための発光ダイオードが設けられている。前記開始スイッチ１１の内部には、図示しないが、当該開始スイッチ１１をオンとしたことを表示させるための発光ダイオードが設けられている。また、前記切替スイッチ１３の内部には、図示しないが、当該切替スイッチ１３をオンとしたことを表示させるための発光ダイオードが設けられている。同様に、前記ヒータオンオフスイッチ１５の内部には、図示しないが、当該ヒータオンオフスイッチ１５をオンとしたことを表示させるための発光ダイオードが設けられている。ＬＣＤ９は、切替スイッチ１３で切り替えた内容を表示したり、異常が発生したときに当該異常の内容を表示したりすることができる表示装置である。
【００１５】
また、前記ボックス３の内部であって、前記磁気発生部分５の部分であって前記平面状保護板３ｃの下には、図２に示すように、右用に３つの電磁石（２５，２５，２５）が所定の間隔を隔て配置され、中央用に一つの電磁石２６が配置され、かつ、左用に３つの電磁石（２７，２７，２７）が所定の間隔を隔て配置され、これら電磁石（２５，２５，２５）と、電磁石２６と、電磁石（２７，２７，２７）とは横方向に所定の間隔で配置され、かつ、人体に接触する部位近傍であって前記電磁石の磁力が人体に効果的に当たる位置に配置されている。これら電磁石（２５，２５，２５）と、電磁石２６と、電磁石２７，２７，２７）のうちの一つは、１［ガウス］から３５０［ガウス］未満の磁力の強さの発生能力を備えたものを使用してよく、本実施の形態においては、例えば５５［ガウス］ないし７０［ガウス］のものを使用することが好ましい。
【００１６】
また、前記ボックス３の内部における底板３ａの上には、図４及び図７に示すように、磁力制御手段１６を搭載する基板１７が設けられている。前記基板１７の上には、図２及び図７に示すような位置に、シールド板１９が平面状保護板３ｃの近くまで垂設されている。
【００１７】
前記ボックス３の底板３ａの底部には、図３及び図４に示すように、ゴム足２１が設けられており、ボックス３が簡単に移動しないようになっている。
【００１８】
前記ボックス３の前端面３ｆには、図１及び図３に示すように、電源コード２３が着脱自在に設けられている。この電源コード２３の先端には交流直流変換器（図示せず）が接続されている。この交流直流変換器（図示せず）は、商用電源から直流１２〔Ｖ〕に変換して出力できる装置である。前記基板１７に搭載された磁力制御手段１６は前記交流直流変換器（図示せず）により直流電力の供給を受けて動作する。
【００１９】
図９は、本発明の実施の形態に係る電磁気健康促進器に用いる面状発熱体の抵抗特性図であって、横軸に温度［℃］を、縦軸に抵抗値［Ω］を、それぞれ取ったものである。
【００２０】
本発明の実施の形態に係る電磁気健康促進器では、図８に示すように、前記磁気発生部分５を覆う平面状保護板３ｃのボックス３内面側と前記電磁石２５または電磁石２６または電磁石２７との間であって、前記平面状保護板３ｃの図示内面全面には面状発熱体２９が耐熱接着材等により固定されている。また、前記面状発熱体２９と、前記電磁石２５または電磁石２６または電磁石２７との間であって、前記面状発熱体２９の裏面全面には断熱材３１が耐熱接着材でもって固定されることにより、面状発熱体２９の裏面（内側）全面が断熱材３１で覆われている。これにより、面状発熱体２９で発生した熱は、ほとんど平面状保護板３ｃから外部に向って放射されることになる。なお、断熱材３１は、不燃性材質によって構成されている。
【００２１】
前記面状発熱体２９は、図５及び図６に示すように、高品質フィルムベース２９ａ上に特殊熱半導体インクを用いて直線状発熱帯２９ｂ，…を一定間隔でプリントし、それら直線状発熱帯２９ｂ，…の末端を一つ置きに伝導体２９ｃ，…で接続し、かつ、それら直線状発熱帯２９ｂ，…の上を保護シート２９ｄで覆って構成した面状の発熱シートをからなる。当該発熱シート状の面状発熱体２９は、前記平面状保護板３ｃの裏面（内側）全面に耐熱接着材で接着固定して設けられたものである。
【００２２】
当該面状発熱体２９は、図９に示すように、所定の温度（例えば５０［℃］）から最高温度（例えば７０［℃］）まで温度が上昇するに比例して抵抗値が増加する特性のものを使用すればよい。このような抵抗特性を備えると、温度が上昇すると抵抗値が上昇するので、電流値が低下して発熱が少なくなり、温度が低下して抵抗値が小さくなると、電流値が増加して発熱が多くなるというように、面状発熱体２９自身が温度を一定にする作用を呈することになる。このような作用は、面状発熱体２９を構成するヒータ部分がカーボンと特殊半導体とによる特殊配列の特殊熱半導体インク２９ｂになっており、低温の状態では特殊半導体が収縮していることからカーボン分子がお互いに接触して電気が流れやすくなっており、通電されて温度が上昇すると半導体が急激に膨張してカーボン分子の接続を絶つことによって全体の抵抗が大きくなってヒータ部分に電流が流れにくくなるという現象を利用したものである。
【００２３】
前記面状発熱体２９は、基本的には、平面状保護板３ｃの裏面（ボックス３の内側）全面に配置されることが望ましいが、電磁石（２５，２５，２５）と、電磁石２６と、電磁石（２７，２７，２７）の横幅や縦幅をカバーできる面積で設置されるものであってもよい。要は、磁気発生部分５から遠赤外線、熱線などの温度放射や暖かさが人体に伝わるような面積に前記面状発熱体２９が配置されていればよい。
【００２４】
また、前記面状発熱体２９には電力供給端子が設けられており、これら電力供給端子は後述する発熱体電力供給回路に接続されている。
【００２５】
図１０は、本発明の実施の形態に係る電磁気健康促進器の一部を構成する電磁石、磁力制御手段、面状発熱体及び発熱体電力供給回路からなる電気系統を示すブロック図である。
【００２６】
この図１０において、前記ボックス３の内部の底板３ａの上に設けられた基板１７には、コイル２５ｃ，２６ｃ，２７ｃが捲回された電磁石２５，２６，２７と、前記面状発熱体２９に電力を供給する発熱体電力供給回路３３と、前記発熱体電力供給回路３３に加える電流または電圧を可変し、かつ、前記複数の電磁石２５，２６，２７のうちの少なくとも一つの電磁石（この実施例では二つの電磁石２６，２７）のコイル２６ｃ，２７ｃに加える電流または電圧を可変するとともに、前記複数の電磁石２５，２６，２７のうちの他の少なくとも一つの電磁石２５のコイル２５ｃに一定の強度の電流または電圧を供給し得る磁力制御手段１６と、音響をだして異常や動作の終了などを警報するブザー３４と、直流５〔Ｖ〕を供給する直流５〔Ｖ〕安定化電源５８とが搭載されている。
【００２７】
上記電磁石２５は、１［ガウス］から３５０［ガウス］未満、好ましくは５５［ガウス］から７０［ガウス］の磁力の強さ発揮する能力を備えているものを使用している。もちろん、電磁石２６，２６，２６のいずれの一つも、電磁石２７，２７，２７のいずれの一つも、電磁石２５と同一の能力をそなえている。それら電磁石２５、電磁石（２６，２６，２６）、及び電磁石（２７，２７，２７）は、所定の間隔を隔てて設けられている。
【００２８】
前記磁力制御手段１６は、発熱体電力供給回路３３と、前記各コイル２５ｃ，２６ｃ，２７ｃに加える電流または電圧の周波数を３［ヘルツ］ないし１００［ヘルツ］、好ましくは６［ヘルツ］ないし２２［ヘルツ］に設定できる。また、前記磁力制御手段１６は、前記各コイル２６ｃ，２７ｃに加える電流または電圧を所定の時間間隔でかつ交互にオンオフさせることができる。
さらに上記磁力制御手段１６について説明すると、前記磁力制御手段１６は、ワンチップＣＰＵ５１と、複数のバッファ回路５２，５３，５４と、電流増幅回路５５ａ，５５ｂ，５５ｃと、電子スイッチ５６ａ，５６ｂと、ローパスフィルタ５７とを備え、次のように構成されている。
【００２９】
前記ワンチップＣＰＵ５１は、中央演算処理部と、プログラムを記憶できるメモリ部と、入力インターフェースと、出力インターフェースとがワンチップ化されており、前記メモリ部に所定の仕事（ジョブ）をさせるプログラムを予め記憶させることにより、このメモリ部内部のプログラムを前記中央演算処理部が処理して所定の仕事（ジョブ）を実行させることができる。また、前記ワンチップＣＰＵ５１は、入力インターフェースを介して所定の指令を受け取り、その指令に従ってプログラムを実行し、その実行結果を出力インターフェースを介して外部に出力できる。
【００３０】
このワンチップＣＰＵ５１の一つの入力インターフェースには開始スイッチ１１が接続されており、他の入力インターフェースには切替スイッチ１３が接続されている。
【００３１】
また、前記ワンチップＣＰＵ５１の一つの出力インターフェースには、バッファ回路５２を介して開始スイッチ１１が押されたことを表示させるための発光ダイオード３５が接続されている。同様に、前記ワンチップＣＰＵ５１の他の一つの出力インターフェースには、バッファ回路５３を介して切替スイッチ１３が押されたことを表示するための発光ダイオード３７が接続されている。また、前記ワンチップＣＰＵ５１のさらに他の出力インターフェースには、バッファ回路５４を介してブザー３４が接続されている。
【００３２】
なお、ヒータオンオフスイッチ１５は、発熱体電力供給回路３３をオンオフできるように発熱体電力供給回路３３に接続されており、夏期などに面状発熱体２９の発熱を停止させ、あるいは、冬季に面状発熱体２９の発熱をさせる等の選択を可能にしている。さらに、ヒータオンオフスイッチ１５の内部には、発熱体電力供給回路３３を動作させたときに点灯し、発熱体電力供給回路３３を不動作状態にしたときに消灯する発光ダイオード３８が設けられている。
【００３３】
また、ワンチップＣＰＵ５１のさらに他の入力インターフェースとさらに他の出力インターフェースにはＬＣＤ９が接続されている。
【００３４】
前記ワンチップＣＰＵ５１は、メモリ部に格納されたプログラムによりパルス幅変調（ＰＷＭ（Ｐｕｌｓｅ  Ｗｉｄｅ  Ｍｏｄｕｌａｔｉｏｎ））回路５１１を実現し、このパルス幅変調回路５１１で作成した信号を出力インターフェースを介してローパスフィルタ５７及び発熱体電力供給回路３３に供給できるようになっている。当該ワンチップＣＰＵ５１は、切替スイッチ１３からの切り替え信号に応じて前記パルス幅変調回路５１１から出力する信号の幅を変更することにより信号の周波数を変更できるようになっている。
【００３５】
さらに、ワンチップＣＰＵ５１はプログラムタイマーを有しており、このプログラムタイマーは電磁気健康促進器１の動作している時間を設定できるようになっており、時間開始スイッチ１１を押した後、設定時間まで電磁気健康促進器１を動作させることができる。
【００３６】
また、ワンチップＣＰＵ５１は、出力インターフェースに接続された図示しない回路を介して電子スイッチ５６ａ，５６ｂを交互にスイッチングし、前記各コイル２７ａ，２７ｂに加える電流または電圧を所定の時間間隔でかつ交互にオンオフさせることができるようになっている。
【００３７】
前記ローパスフィルタ５７の出力端子は、各電子スイッチ５６ａ，５６ｂを介して電流増幅回路５５ａ，５５ｂの入力端子に接続されるとともに、電流増幅回路５５ｃの入力端子に接続されている。このローパスフィルタ５７は、パルス幅変調回路５１１からの信号のうち高周波成分を除去し、信号の基本波成分のみを通過させることができる装置である。
【００３８】
前記各電流増幅回路５５ａ，５５ｂ，５５ｃは、それぞれ入力された信号の電圧成分を電流に変換する回路である。当該各電流増幅回路５５ａの出力端子には、コイル２７ａの一端子が接続されている。当該各電流増幅回路５５ｂの出力端子には、コイル２７ｂの一端子が接続されている。当該各電流増幅回路５５ｃの出力端子には、コイル２７ｃの一端子が接続されている。各コイル２７ａ，２７ｂ，２７ｃの他端子は共通にされて直流１２〔Ｖ〕のプラス極に接続されている。
【００３９】
また、前記発熱体電力供給回路３３は、スイッチ４０と、電流増幅回路５５ｄと、電源＋１２［Ｖ］端子とから構成されている。前記面状発熱体２９の電源供給端子の一方は、発熱体電力供給回路３３の電源＋１２［Ｖ］端子に接続されている。また、前記面状発熱体２９の電源供給端子の他方は、前記発熱体電力供給回路３３の電流増幅回路５５ｄの出力端子に接続されている。
【００４０】
この発熱体電力供給回路３３では、前記パルス幅変調回路５１１からの出力信号をスイッチ４０を介して電流増幅回路５５ｄの入力端子に接続している。なお、このスイッチ４０は、ヒータオンオフスイッチ１５によって機械的に動作するようになっている。
【００４１】
電源コード２３のプラス極端子は、電源スイッチ７を介して直流５〔Ｖ〕安定化電源５８の入力端子に接続されるとともに、前記コイル２７ａ，２７ｂ，２７ｃの共通他端子に接続されている。電源コード２３のマイナス極端子は、図示しないがアース電極に接続されている。また、発光ダイオード３９は、電源スイッチ７のオン時に点灯し、オフ時に消灯するように回路接続されている。
【００４２】
なお、直流１２［Ｖ］のプラス端子は、電流増幅回路５５ａ，５５ｂ，５５ｃ，５５ｄのプラス電源入力端子に接続されている。直流５〔Ｖ〕安定化電源５８のプラス出力端子は、図示しないが、ワンチップＣＰＵ５１、バッファ回路５２，５３，５４のプラス電源入力端子に接続されており、前記直流５〔Ｖ〕安定化電源５８のマイナス出力端子は、図示しないが、アース電極に接続されている。同様に、ワンチップＣＰＵ５１、バッファ回路５２，５３，５４及び電流増幅回路５５ａ，５５ｂ，５５ｃ，５５ｄのマイナス電源入力端子は、図示しないが、アース電極に接続されている。
【００４３】
このように構成された電磁気健康促進器１の動作を図１ないし図９を基に、図１０及び図１１を参照して説明する。
【００４４】
（基本動作）
まず、本実施の形態における基本的な動作の考え方を説明する。この電磁気健康促進器１において、電磁石２５，２６，２７は同一磁力を発生するので、電磁石２６を他の磁石を代表させて説明する。また、コイル２５ｃ，２６ｃ，２７ｃも同一構成にしてあるので、コイル２６ｃで他のコイルを代表させて説明する。また、前記コイル２６ｃのみに電流を流すという意味で、電流増幅回路５５ａを他の電流増幅回路を代表させて説明する。
【００４５】
ここで、電源スイッチ７を投入し、ワンチップＣＰＵ５１、バッファ回路５２，５３，５４及び電流増幅回路５５ａ，５５ｂ，５５ｃに電力を供給する。
【００４６】
ここで、コイル２６の系統について着目して説明すると、ワンチップＣＰＵ５１のパルス幅変調回路５１１は、切替スイッチ１３により選択された周波数の矩形波信号を出力する。この矩形波信号は、ローパスフィルタ５７で不要な高周波成分を除去された後に、電子スイッチ５６ａを介して電流増幅回路５５ａの入力端子に供給される。
【００４７】
すると、電流増幅回路５５ａは、矩形波電流を各出力端子に流せる状態になる。これにより、前記コイル２６ｃには電流が流れる。
これにより、前記コイル２６ｃに電流が流れると、コイル２６ｃによって発生した磁力が発生し、電流が流れなくなると、磁力がなくなる。
【００４８】
このように本実施の形態による電磁気健康促進器１によれば、所定の周波数で磁力が強まったり弱まったりする磁力をボックス３の磁気発生部分５を覆う平面状保護板３ｃの部分から供給できることになる。
なお、電磁石２５，２７も、上述と同様に動作する。
【００４９】
（動作説明）
図１１は、本発明の実施の形態に係る電磁気健康促進器で使用する面状発熱体の特性図であって、横軸に経過時間（分）を、縦軸に温度［℃］と電流［Ａ］とを、それぞれとったものである。
【００５０】
まず、電源スイッチ７を投入し、ワンチップＣＰＵ５１、バッファ回路５２，５３，５４及び電流増幅回路５５ａ，５５ｂ，５５ｃ，５５ｄに電力を供給する。
【００５１】
また、ＬＣＤ９の表示内容を見ながら切替スイッチ１３を操作することにより、第１に所定の周波数を選択し、第２に交互運転を選択し、第３に所定の動作時間をプログラムタイマーに設定する。
【００５２】
この設定が完了した後に、ボックス３の磁気発生部分５の平面状保護板３ｃの上に人体を載置し、開始スイッチ１１を押す。
【００５３】
これにより、ワンチップＣＰＵ５１は、メモリ部に格納されているプログラムを中央演算処理部が処理することにより、パルス幅変調回路５１１を実現する。パルス幅変調回路５１１は、切替スイッチ１３で選択された周波数の矩形波信号を形成し、ローパスフィルタ５７及び発熱体電力供給回路３３に供給する。
【００５４】
ローパスフィルタ５７の出力端子から出力された信号は、電子スイッチ５６ａ，５６ｂを介して電流増幅回路５５ａ，５５ｂの入力端子に供給される。また、ローパスフィルタ５７の出力端子から出力された信号は、電流増幅回路５５ｃの入力端子に供給される。
【００５５】
これにより、前記各コイル２５ｃ，２６ｃ，２７ｃには、電流がそれぞれ流れる。したがって、前記各電磁石２５，２６，２７からは、パルス状の磁界が発生する。
【００５６】
このとき、ワンチップＣＰＵ５１は、電子スイッチ５６ａ，５６ｂを交互にスイッチングするので、電磁石２６，２７からは、期間Ｔの間隔で交互に磁力が発生したり発生しなかったりする。一方、電磁石２５からは、プログラムタイマーに設定されている時間の間、継続してパルス状の磁力が発生する。
【００５７】
このとき、ヒータオンオフスイッチ１５がオンになっているとすると、ワンチップＣＰＵ５１のパルス幅変調回路５１１からパルス状の電圧信号が供給されるので、この電圧信号が電流増幅回路５５ｄで電流変換されて電流増幅回路５５ｄにより発熱体電力供給回路３３をパルス状にオンオフする。これにより、発熱体電力供給回路３３は、電磁石２５に供給される信号と同じ状態でオンオフ制御される。これにより、発熱体電力供給回路３３からは、オンオフ制御された電力分の発熱をし、かつ、図１３に示すように、経過時間とともに一定の発熱となり、すなわち、一定の電流が流れ、平面状保護板３ｃ部分を常に一定の温度に保つことになる。なお、パルス幅変調回路５１１からの出力信号のデューテ比が大きくなればなるほど、発熱体電力供給回路３３に供給される電力は多くなり、当該出力信号のデューティ比が低くなればなるほど、発熱体電力供給回路３３に供給される電力は少なくなる。
【００５８】
そして、ワンチップＣＰＵ５１は、プログラムタイマーに設定されている時間に達すると、ブザー３４を鳴動させるとともに、パルス幅変調回路５１１の動作を停止させる。
【００５９】
このようにパルス状の磁力が人体に供給されるのと、磁気発生部分５を覆う平面状保護板３ｃから遠赤外線や熱線あるいは熱が供給されることにより、それら磁力と遠赤外線や熱線や熱は人体の血流に作用し、血流に対する刺激を与えることになって血液循環を促進し、かつ、神経系統に作用して痛みを和らげる効果を奏することになる。
【００６０】
また、本実施の形態では、電磁石の磁力を５０［ガウス］から３５０［ガウス］未満の磁力の強さのものを使用したので、医療用具の許可申請を不要にするとともに、製造コストを抑えることができる。
【００６１】
なお、他の実施の形態として、上記実施の形態のように電子スイッチ５６ａ，５６ｂを交互にスイッチングさせるのではなく、電子スイッチをオフにすることにより電磁石２５のみから磁力の供給ができるようにして「弱レベル」とし、電子スイッチ５６ａをオン及び電子スイッチ５６ｂをオフ（あるいはその逆で電子スイッチ５６ａをオフ及び電子スイッチ５６ｂをオン）にすることによりコイル２６ｃ（または２７ｃ）とコイル２５ｃとから磁力を供給できるようにして「標準レベル」とし、電子スイッチ５６ａ，５６ｂの双方をオンにすることによりコイル２５ｃ，２６ｃ，２７ｃから磁力を供給できるようにして「強レベル」にするようにしてもよい。すなわち、他の実施の形態では、上述したようにコイル２５ｃ，２６ｃ，２７ｃに流す電流あるいは電圧を段階的に選択するようにしたものである。
【００６２】
当該他の実施例によっても、パルス状の磁力が人体に供給されるので、それら磁力は人体の血流に作用し、血流に対する刺激を与えることになって血液循環を促進し、かつ、神経系統に作用して痛みを和らげる効果を奏することになる。
【００６３】
また、当該他の実施の形態でも、永久磁石の磁力を５０ガウスから３５０ガウス未満の磁力の強さのものを使用したので、医療用具の許可申請を不要にするとともに、製造コストを抑えることができる。
【００６４】
さらに、当該他の実施の形態では、磁力の大きさを強レベル、標準レベルあるいは弱レベルに設定できるので、人体の症状や電磁気健康促進の具合に応じて適切な磁力レベルでの健康促進を行なうことができる。
【００６５】
【発明の効果】
以上説明したように本発明に係る電磁気健康促進器によれば、前記磁力制御手段により前記電磁石のコイルに加える電流または電圧の周波数を可変させてパルス状の磁力を発生できるようにするとともに、電磁石を人体に接触する磁気発生部分部位近傍であって前記電磁石の磁力が人体に効果的に当たる磁気発生部分位置に配置し、かつ、人体に接触する部位近傍であって前記面状発熱体からの遠赤外線、熱線及び熱が人体に効果的に当たる磁気発生部分の位置に面状発熱体を設けてなるので、磁気と、熱線、遠赤外線及び熱とが人体の血流に作用し、血流に対する刺激を与えることになって血液循環を促進し、かつ、神経系統に作用して痛みを和らげる効果を奏することになる。
【図面の簡単な説明】
【図１】本発明の実施の形態に係る電磁気健康促進器を示す斜視図である。
【図２】本発明の実施の形態に係る電磁気健康促進器を示す平面図である。
【図３】本発明の実施の形態に係る電磁気健康促進器を示す側面図である。
【図４】本発明の実施の形態に係る電磁気健康促進器を正面から見た断面図である。
【図５】本発明の実施の形態に係る電磁気健康促進器において発熱体を上から見た図である。
【図６】本発明の実施の形態に係る電磁気健康促進器において発熱体を横から見た図である。
【図７】本発明の実施の形態に係る電磁気健康促進器を側面から見た断面図である。
【図８】本発明の実施の形態に係る電磁気健康促進器において発熱体の配置状態を横から見た拡大断面図である。
【図９】本発明の実施の形態に係る電磁気健康促進器に用いる面状発熱体の抵抗特性図である。
【図１０】本発明の実施の形態に係る電磁気健康促進器の一部を構成する永久磁石、コイル、磁力制御手段及び発熱体電力供給回路からなる電気系統を示すブロック図である。
【図１１】本発明の実施の形態に係る電磁気健康促進器で使用する面状発熱体の特性図である。
【符号の説明】
１  電磁気健康促進器
３  ボックス
５  磁気発生部分
７  電源スイッチ
９  ＬＣＤ
１１  開始スイッチ
１３  切替スイッチ
１５  ヒータオンオフスイッチ
１６  磁力制御手段
１７  基板
２５，２６，２７  電磁石
２５ｃ，２６ｃ，２７ｃ  コイル
２９  面状発熱体
３１  断熱材
３４  ブザー
５１  ワンチップＣＰＵ
５２，５３，５４  バッファ回路
５５ａ，５５ｂ，５５ｃ，５５ｄ  電流増幅回路
５６ａ，５６ｂ  電子スイッチ
４０  スイッチ
５１１  パルス幅変調回路
【図１】
2004329584.tif 000003
【図２】
2004329584.tif 000004
【図３】
2004329584.tif 000005
【図４】
2004329584.tif 000006
【図５】
2004329584.tif 000007
【図６】
2004329584.tif 000008
【図７】
2004329584.tif 000009
【図８】
2004329584.tif 000010
【図９】
2004329584.tif 000011
【図１０】
2004329584.tif 000012
【図１１】
2004329584.tif 000013